(57)【要約】      （修正有）【課題】圧縮機室前部の開口を確保してメンテナンス性を良好にし、操作弁を支持する支持部材にレンチのトルクに耐える強度をもたせた空気調和機の室外機を提供する。【解決手段】本体内に区画された圧縮機室の前部に、一対の固定部８ａおよび９ａを有する少なくとも二つの操作弁８および９をねじ止め固定するねじ孔を備えた支持部材７が横方向に延びるように設けられてなるものにおいて、前記支持部材７は、その一側に、前記操作弁７の固定部８ａおよび９ａを互いに横方向および奥行き方向にずらし、かつ、高さ方向にずらした位置に固定するための段部７ｅを備えるようにした。【選択図】図２
2011038658.tif 000002
【特許請求の範囲】
【請求項１】
本体内に区画された圧縮機室の前部に、一対の固定部を有する少なくとも二つの操作弁をねじ止め固定するねじ孔を備えた支持部材が横方向に延びるように設けられてなるものにおいて、
前記支持部材は、その一側に、前記操作弁の固定部を互いに横方向および奥行き方向にずらし、かつ、高さ方向にずらした位置に固定するための段部を備えてなることを特徴とする空気調和機の室外機。
【請求項２】
前記固定部をねじ止め固定する高さ方向に隣り合うねじ孔が、横方向の略同一位置に設けられていることを特徴とする請求項１に記載の空気調和機の室外機。
【発明の詳細な説明】
【技術分野】
【０００１】
本発明は、空気調和機の室外機に係わり、より詳細には、本体内の圧縮機室前部に備えた支持部材によって支持される複数の操作弁の支持構造に関する。
【背景技術】
【０００２】
従来の空気調和機の室外機には、圧縮機室の前部に備えた横方向に延びる支持部材で複数の操作弁を支持したものとして、図６および図７に示すようなものが知られている。
【０００３】
すなわち、一端に第一被固定部３３を備えた第一本体部３１と、他端に第二被固定部３４を備えた第二本体部３２とからなる支持部材３０は、室内機側の冷媒配管が接続される液側の操作弁６１および液側の操作弁６１よりも大径のガス側の操作弁６２を支持しており、図示しない室外機の第一固定部および第二固定部に掛け渡される板状のものであって、鍔部６８をねじ止め固定するためのねじ孔３５ｃおよび３５ｄの間に形成された切欠き部３５ａおよび３５ｂを有する装着部３５と、干渉防止部３６と、段差部３７とを備えている（例えば、特許文献１）。
【０００４】
装着部３５は、冷媒の封入や真空引き等に使用される操作弁６１および６２のサービスポート６１ｂおよび６２ｂが掛け渡し方向に対応する長手方向に直交する方向に突出した状態で、かつ、図示しない室内機の冷媒配管に接続される室内側接続ポートがサービスポート６１ｂおよび６２ｂとは反対側に突出した状態で、液側の操作弁６１およびガス側の操作弁６２が長手方向に並んで装着されている。
【０００５】
段差部３７は、装着部３５と干渉防止部３６との間に形成されており、干渉防止部３６に奥行き方向の段差をもたせることによって、装着部３５に対し、干渉防止部３６を板厚方向（後方）に離間させた構成になっている。
【０００６】
上記構成により、操作弁６１および６２のサービスポート６１ｂおよび６２ｂの操作性を確保するとともに、支持部材３０の強度を向上させている。
【０００７】
しかしながら、液側の操作弁６１およびガス側の操作弁６２が、ねじ止め固定用の一対のねじ孔３５ｃと、ねじ止め固定用の一対のねじ孔３５ｄとを互いに横方向にずらした状態で、支持部材３０の長手方向（横方向）に並んで圧縮機室の前部に支持されていることから、液側の操作弁６１およびガス側の操作弁６２が横方向に並んだ範囲で圧縮機室の前部を塞ぐように占有することになるため、この圧縮機室の前部の開口を充分に確保できず、圧縮機室のメンテナンスを良好に行えないという問題点を有していた。
【０００８】
また、支持部材３０は、装着部３５と干渉防止部３６との間に段差部３７を形成し、かつ、長手方向（横方向）に延びる複数の溝部３８ａ、３８ｂおよび３８ｃを形成することで強度を向上させた構成になっているが、例えば、液側の操作弁６１またはガス側の操作弁６２のサービスポート６１ｂまたは６２ｂに備えた六角ナットを図示しないレンチで締結する時のトルクに耐えるように、該箇所が変形してしまわないだけの充分な強度をもたせるには不充分であった。
【先行技術文献】
【特許文献】
【０００９】
【特許文献１】特許第４０６３２９６号
【発明の概要】
【発明が解決しようとする課題】
【００１０】
そこで、本発明は上述した課題を解決するためになされたものであって、その目的は、圧縮機室前部の開口を確保してメンテナンス性を良好にし、操作弁を支持する支持部材にレンチによって六角ナットに加えられるトルクに対する強度をもたせた空気調和機の室外機を提供することにある。
【課題を解決するための手段】
【００１１】
上述した目的を達成できるように構成するため、本発明は以下に示す特徴を備えている。
【００１２】
本体内に区画された圧縮機室の前部に、一対の固定部を有する少なくとも二つの操作弁をねじ止め固定するねじ孔を備えた支持部材が横方向に延びるように設けられてなるものにおいて、
前記支持部材は、その一側に、前記操作弁の固定部を互いに横方向および奥行き方向にずらし、かつ、高さ方向にずらした位置に固定するための段部を備えてなることを特徴としている。
【００１３】
また、前記固定部をねじ止め固定する高さ方向に隣り合うねじ孔が、横方向の略同一位置に設けられていることを特徴としている。
【発明の効果】
【００１４】
本発明によれば、圧縮機室前部の開口を確保してメンテナンス性を良好にし、操作弁を支持する支持部材にレンチによって六角ナットに加えられるトルクに対する強度をもたせた空気調和機の室外機を提供できる。
【図面の簡単な説明】
【００１５】
【図１】本発明による空気調和機の室外機の前面パネルを取り外した正面図である。
【図２】本発明による空気調和機の室外機の操作弁を支持部材で支持した要部斜視図である。
【図３】本発明による空気調和機の室外機の操作弁を支持する支持部材の斜視図である。
【図４】本発明による空気調和機の室外機の操作弁を支持部材で支持した要部正面図である。
【図５】本発明による空気調和機の室外機の操作弁を支持部材で支持した要部平面図である。
【図６】従来例による空気調和機の室外機の支持部材の斜視図である。
【図７】図６に示すＭ矢視図である。
【発明を実施するための形態】
【００１６】
以下、本発明を実施するための形態を、添付図面に基づいた実施例として詳細に説明する。
【００１７】
本発明による空気調和機の室外機は、図１に示すように、本体１の内部が、底板２上に立設された仕切板３により熱交換器室Ａと圧縮機室Ｂとに区画されている。
【００１８】
本体１の内部に区画された熱交換器室Ａには熱交換器４と、これに対向する送風機５とが配置される一方、圧縮機室Ｂには圧縮機６が設置されるとともに、圧縮機室Ｂの前部には横方向に延びる板状の支持部材７が設けられている。
【００１９】
支持部材７は、図３に示すように、プレス加工によって形成された板金製であり、仕切板３に固定される第一固定部７ａを一端に備える一方、この第一固定部７ａから横方向に向けて圧縮機室Ｂの前部で横長状に延び、底板２の側部に立設した図示しない固定板に固定される第二固定部７ｂを他端に備えている。
【００２０】
横長状の支持部材７は、横長方向の略中央部に、奥行き方向に折曲形成された折曲部７ｃを有しており、この折曲部７ｃを介して、第一固定部７ａを備えている一端寄りの平面に対し、第二固定部７ｂを備えている他端寄りの平面が後方に位置する構成になっており、強度を増すために、第一固定部７ａの側から横方向に向けた複数の溝部（絞り部）７ｄが略平行に延びるように形成されている。
【００２１】
支持部材７は、その一側であって、溝部（絞り部）７ｄの先端と第二固定部７ｂとの間に、この第二固定部７ｂを備えている他端寄りの平面を更に後方に位置させるように、奥行き方向に段差をもたせる段部７ｅが形成されており、この段部７ｅは、支持部材７の上端から下方に延びる垂直面７ｅ１と、この垂直面７ｅ１の下端に連続形成された湾曲面７ｅ２と、この湾曲面７ｅ２に連続形成され、先端を低く傾斜させた傾斜面７ｅ３とからなる構成になっている。
【００２２】
なお、傾斜面７ｅ３については、図３に示す形状のように、必ずしも先端を低く傾斜させた形状に限るのではなく、略水平状に形成された水平面とした構成にしてもよいし、湾曲面７ｅ２に連続させる形状により曲面状に形成された構成にしてもよい。
【００２３】
垂直面７ｅ１と、これに連続形成された湾曲面７ｅ２と、湾曲面７ｅ２に連続形成された傾斜面７ｅ３とからなる段部７ｅの両側には、下方を解放した高さ位置および幅寸法が互いに異なる逆Ｕ字状の切欠部７ｈおよび７ｉが形成されている。
【００２４】
逆Ｕ字状に形成された切欠部７ｈおよび７ｉの左右両側部には、一対のねじ孔７ｆと一対のねじ孔７ｇとが、段部７ｅを介して互いに高さ方向、奥行き方向および横方向に夫々位置をずらして設けられている。
【００２５】
また、一対のねじ孔７ｆと、一対のねじ孔７ｇとは、図３に示すように、段部７ｅを介して隣り合う一方のねじ孔７ｆと他方のねじ孔７ｇとが高さ方向に離間し、かつ、奥行き方向にも離間する一方、横方向については離間しないように、段部７ｅの傾斜面７ｅ３を介して略同一の横方向位置に設けられた構成になっている。
【００２６】
支持部材７に設けられた一対のねじ孔７ｇには、図２に示すように、液側の操作弁８が、一対の固定部８ａに備えた図示しない固定孔を通したねじを螺着して固定され、また、支持部材７に設けられた一対のねじ孔７ｆには、図２に示すように、液側の操作弁８よりも大径でなるガス側の操作弁９が、一対の固定部９ａに備えた図示しない固定孔を通したねじを螺着して固定される。
【００２７】
これにより、支持部材７は、その一側に、液側の操作弁８の固定部８ａとガス側の操作弁９の固定部９ａとを互いに横方向および奥行き方向にずらし、かつ、高さ方向にずらした位置に固定するように形成した段部７ｅを備えたことによって、図２および図４に示すように、液側の操作弁８とガス側の操作弁９とを高さ方向および奥行き方向に位置をずらして支持できる一方、横方向については、高さ方向に隣り合う一方のねじ孔７ｇに対応する固定部８ａの図示しない固定孔と、他方のねじ孔７ｆに対応する固定部９ａの図示しない固定孔とを、図４に示す一点鎖線ａ上となる同一位置にほぼ揃わせて支持できることになる。
【００２８】
すなわち、垂直面７ｅ１、湾曲面７ｅ２および傾斜面７ｅ３からなる段部７ｅを設けたことで、図４の一点鎖線ａに示すように、高さ方向に隣り合う一方の固定部８ａおよび他方の固定部９ａのねじ止め固定位置が、図７に示した隣り合うねじ孔３５ｃおよびねじ孔３５ｄに較べて横方向に離間しない構成になるため、図７による構成に較べて、液側の操作弁８とガス側の操作弁９とを横方向に近接させて固定できる。
【００２９】
そのため、液側の操作弁６１およびガス側の操作弁６２は、横方向に近接して並んだ範囲で圧縮機室の前部を塞ぐように占有することになって、これらが横方向に近接しないで並んだ場合に較べて圧縮機室の前部の横方向の開口を広く確保できることになる。
【００３０】
また、支持部材７は、液側の操作弁６１およびガス側の操作弁６２が横方向、奥行き方向および高さ方向に位置をずらして固定される段部７ｅを備えたことで、図６および図７に示すように、ねじ孔３５ｃおよびねじ孔３５ｄの上部に設けられた段差部３７によって強度を高める構成とした場合よりも、図４および図５に示すように、レンチ１２によって六角ナット８ｂおよび六角ナット９ｂを締結する時のトルクに対する強度を増すことができる。
【００３１】
本体１内の圧縮機室Ｂの前部に、図１に示すように支持部材７で支持された液側の操作弁８には、被空調室内に設置されている図示しない室内機側に備えた液側の冷媒配管１０が接続され、ガス側の操作弁９には、図示しない室内機側に備えたガス側の冷媒配管１１が接続される。
【００３２】
液側の操作弁８に液側の冷媒配管１０を接続するには、図４および図５に示すように六角ナット８ｂをレンチ１２で締結し、ガス側の操作弁９にガス側の冷媒配管１１を接続するには、図４および図５に示すように六角ナット９ｂをレンチ１２で締結する。
【００３３】
六角ナット８ｂおよび９ｂの締結時には、支持部材７により段部７ｅを介して液側の操作弁８とガス側の操作弁９とを支持したことによって、レンチ１２を装着する隙間を確保し易くした構成になっており、また、支持部材７は、図２乃至図４に示すように、とくに、段部７ｅが垂直面７ｅ１と湾曲面７ｅ２と傾斜面７ｅ３とからなる構成にしたことによって、レンチ１２で六角ナット８ｂおよび９ｂを締結する時のトルクに対する強度が増すようになっている。
【００３４】
また、液側の操作弁８とガス側の操作弁９とは、図５に示すように、支持部材７により段部７ｅを介して奥行き方向にずらすことでガス側の操作弁９が後方に支持されているので、液側の操作弁８および液側の操作弁８よりも大径でなるガス側の操作弁９の前端位置（支持部材７の前方への突出位置）を略面一状に揃えることができる。
【００３５】
その際、液側の操作弁８と、液側の操作弁８よりも大径でなるガス側の操作弁９の前端位置（支持部材７の前方への突出位置）とは、第一固定部７ａを備えている支持部材７の一端寄りの平面に対し、略同一の奥行き位置となるよう面一状にしている。
【００３６】
液側の操作弁８および液側の操作弁８よりも大径でなるガス側の操作弁９の前端位置と、第一固定部７ａを備えている支持部材７の一端寄りの平面とを、図５に示すように略同一の奥行き位置となるよう面一状に構成したことで、圧縮機室Ｂの前部に、奥行き方向に凹凸がない状態で開口を確保できるようになってメンテナンス性が良好になる。
【００３７】
以上説明したように、本発明の構成によれば、支持部材７は、その一側に垂直面７ｅ１、湾曲面７ｅ２および傾斜面７ｅ３からなる段部７ｅを備えたことで、六角ナット８ｂおよび六角ナット９ｂをレンチ１２で締結する時のトルクに耐える強度を有することになり、また、支持部材７により、液側の操作弁８およびガス側の操作弁９が段部７ｅを介し互いに近接して支持されることで、これらが圧縮機室Ｂの前部を塞ぐ範囲を狭めて開口面積を広くとることができるようになって、メンテナンス性を高めることができるようにした空気調和機の室外機を提供できる。
【符号の説明】
【００３８】
１  本体
２  底板
３  仕切板
４  熱交換器
５  送風機
６  圧縮機
７  支持部材
７ａ  第一固定部
７ｂ  第二固定部
７ｃ  折曲部
７ｄ  溝部（絞り部）
７ｅ  段部
７ｅ１  垂直面
７ｅ２  湾曲面
７ｅ３  傾斜面（水平面）
７ｆ  ねじ孔
７ｇ  ねじ孔
７ｈ  切欠部
７ｉ  切欠部
８  液側の操作弁
８ａ  固定部
８ｂ  六角ナット
９  ガス側の操作弁
９ａ  固定部
９ｂ  六角ナット
１０  液側の冷媒配管
１１  ガス側の冷媒配管
１２  レンチ
Ａ  熱交換器室
Ｂ  圧縮機室
【図１】
2011038658.tif 000003
【図２】
2011038658.tif 000004
【図３】
2011038658.tif 000005
【図４】
2011038658.tif 000006
【図５】
2011038658.tif 000007
【図６】
2011038658.tif 000008
【図７】
2011038658.tif 000009